(57)【要約】  ホームネットワーク（２）におけるＷｉ−Ｆｉカバレッジ（１００）を最適化するためのシステム（１）であって、アクセスポイント（３）とＷｉ−Ｆｉ拡張装置（４）との間のＷｉ−Ｆｉ信号強度（１１０）を監視するＷｉ−Ｆｉ信号強度モニタ（１０）と、現在の位置（４００）におよび前記ホームネットワーク（２）内の候補位置（４０１）に置かれた前記Ｗｉ−Ｆｉ拡張装置（４）のＷｉ−Ｆｉカバレッジ（１００）を決定するＷｉ−Ｆｉ拡張装置位置最適化モジュール（１１）と、電力線拡張装置位置最適化モジュール（１２）であって、電力線の現在の位置（５００）におよび前記ホームネットワーク（２）内の電力線拡張装置候補位置（５０１）に置かれた電力線拡張装置（５）のカバレッジ（１２０）を決定し、前記カバレッジ（１２０）が前記電力線の現在の位置（５００）におけるカバレッジ（１２０）を超えたときに、前記電力線拡張装置（５）を前記電力線拡張装置候補位置（５０１）に再配置する電力線拡張装置位置最適化モジュール（１２）とを備えるシステム（１）。
2019520747.tif 000002
【特許請求の範囲】
【請求項１】
少なくともシステム（１）、アクセスポイント（３）、Ｗｉ−Ｆｉ拡張装置（４）および電力線拡張装置（５）を備えるホームネットワーク（２）内のＷｉ−Ｆｉカバレッジ（１００）を最適化するための前記システム（１）であって、
前記ホームネットワーク（２）において前記アクセスポイント（３）と前記Ｗｉ−Ｆｉ拡張装置（４）の現在の位置（４００）との間のＷｉ−Ｆｉ信号強度（１１０）を監視するように構成されたＷｉ−Ｆｉ信号強度モニタ（１０）と、
前記Ｗｉ−Ｆｉ信号強度（１１０）が事前定義された信号強度閾値未満であるときに、前記現在の位置（４００）に置かれたおよび前記現在の位置（４００）とは異なる前記ホームネットワーク（２）内の候補位置（４０１）に置かれた前記Ｗｉ−Ｆｉ拡張装置（４）のＷｉ−Ｆｉカバレッジ（１００）を決定するように構成されたＷｉ−Ｆｉ拡張装置位置最適化モジュール（１１）と、
電力線拡張装置位置最適化モジュール（１２）であって、
すべての候補位置（４０１）における前記Ｗｉ−Ｆｉカバレッジ（１００）が前記現在の位置（４００）における前記Ｗｉ−Ｆｉカバレッジ（１００）よりも低いときに、電力線の現在の位置（５００）に置かれたおよび前記電力の現在の位置（５００）とは異なる前記ホームネットワーク（２）内の電力線拡張装置候補位置（５０１）に置かれた前記電力線拡張装置（５）のカバレッジ（１２０）を決定し、
前記カバレッジ（１２０）が前記電力線の現在の位置（５００）におけるカバレッジ（１２０）を超えたときに、前記電力線拡張装置（５）を前記電力線拡張装置候補位置（５０１）に再配置する
ように構成された電力線拡張装置位置最適化モジュール（１２）と
を備える、システム（１）。
【請求項２】
前記システム（１）が、前記アクセスポイント（３）と前記Ｗｉ−Ｆｉ拡張装置（４）の前記現在の位置（４００）との間の達成可能なスループット（１３０）を前記Ｗｉ−Ｆｉ信号強度（１１０）から決定するように構成されたスループット評価ユニット（１３）をさらに備える、請求項１に記載のシステム（１）。
【請求項３】
前記システム（１）が、前記候補位置（４０１）のおよび前記電力線拡張装置候補位置（５０１）の位置データ（１４０）を収集するように構成された位置データ収集ユニット（１４）をさらに備える、請求項１に記載のシステム（１）。
【請求項４】
前記位置データ（１４０）が、
各々の前記候補位置（４０１）の前記Ｗｉ−Ｆｉ信号強度（１１０）および競合ファクタ（１２１）と、
前記電力線拡張装置候補位置（５０１）の電力線拡張装置競合ファクタ（１１３）と
のうちの１つまたは複数を備える、請求項３に記載のシステム（１）。
【請求項５】
前記Ｗｉ−Ｆｉ拡張装置位置最適化モジュール（１１）が、
前記位置データ収集ユニット（１４）から前記候補位置（４０１）の位置データ（１４０）を受信し、
前記Ｗｉ−Ｆｉ信号強度（１１０）から前記現在の位置（４００）の信号品質スコア（１１１）を決定し、
前記位置データ（１４０）から各々の前記候補位置（４０１）の信号品質スコア（１１１）を決定し、
各々の前記信号品質スコア（１１１）を事前定義された品質スコア閾値と比較し、
前記信号品質スコア（１１１）が前記事前定義された品質スコア閾値に適合する、および前記信号品質スコア（１１１）が前記現在の位置（４００）の前記信号品質スコア（１１１）を超えている、選択位置（４０２）を選択し、
前記Ｗｉ−Ｆｉ拡張装置（４）を前記選択位置（４０２）に再配置する
ようにさらに構成され、前記スループット評価ユニット（１３）が、前記アクセスポイント（３）と前記選択位置（４０２）との間の達成可能なスループット（１３０）を決定するようにさらに構成された、請求項３に記載のシステム（１）。
【請求項６】
前記電力線拡張装置位置最適化モジュール（１２）が、
前記位置データ収集ユニット（１４）から前記電力線拡張装置候補位置（５０１）の位置データ（１４０）を受信し、
前記電力線の現在の位置（５００）の電力線競合ファクタ（２２２）を決定し、
前記電力線拡張装置候補位置（５０１）の電力線競合ファクタ（２２２）を前記位置データ（１４０）から決定し、
前記電力線拡張装置候補位置（５０１）の前記電力線競合ファクタ（２２２）を前記電力線の現在の位置（５００）の前記電力線競合ファクタ（２２２）と比較し、
前記電力線競合ファクタ（２２２）が前記電力線の現在の位置（５００）の前記電力線競合ファクタ（２２２）よりも低い選択電力線位置（５０２）を選択し、
前記電力線拡張装置（５）を前記選択電力線位置（５０２）に再配置する
ようにさらに構成され、前記スループット評価ユニット（１３）が、前記アクセスポイント（３）と前記選択電力線位置（５０２）との間の達成可能なスループット（１３０）を決定するようにさらに構成された、請求項３に記載のシステム（１）。
【請求項７】
前記Ｗｉ−Ｆｉ拡張装置位置最適化モジュール（１１）が、
前記現在の位置（４００）のおよび各々の前記候補位置（４０１）の前記位置データ（１４０）からスケーリングされた競合ファクタ（２２３）を決定し、
各々の前記候補位置（４０１）についておよび前記現在の位置（４００）について、前記スケーリングされた競合ファクタ（２２３）を前記Ｗｉ−Ｆｉ信号強度（１１０）から差し引き、それによって、前記信号品質スコア（１１１）を決定し、
各々の前記候補位置（４０１）についておよび前記現在の位置（４００）について、前記信号品質スコア（１１１）の最大値の引数を決定し、
各々の前記候補位置（４０１）について、前記Ｗｉ−Ｆｉ信号強度（１１０）を前記事前定義された品質スコア閾値と比較し、
前記Ｗｉ−Ｆｉ信号強度（１１０）が前記事前定義された品質スコア閾値より高く、最大値の最高の引数を有する、前記選択位置（４０２）を選択する
ようにさらに構成された、請求項５に記載のシステム（１）。
【請求項８】
前記Ｗｉ−Ｆｉ拡張装置（４）の前記Ｗｉ−Ｆｉカバレッジ（１００）が、前記信号品質スコア（１１１）を含む、請求項７に記載のシステム（１）。
【請求項９】
前記電力線拡張装置（５）の前記カバレッジ（１２０）が、前記電力線競合ファクタ（２２２）を含む、請求項６に記載のシステム（１）。
【請求項１０】
少なくともアクセスポイント（３）、Ｗｉ−Ｆｉ拡張装置（４）および電力線拡張装置（５）を備えるホームネットワーク（２）内のＷｉ−Ｆｉカバレッジ（１００）を最適化するための方法であって、
前記ホームネットワーク（２）内の前記アクセスポイント（３）と前記Ｗｉ−Ｆｉ拡張装置（４）の現在の位置（４００）との間のＷｉ−Ｆｉ信号強度（１１０）を監視するステップと、
前記Ｗｉ−Ｆｉ信号強度（１１０）が、事前定義された信号強度閾値未満であるときに、前記現在の位置（４００）に置かれたおよび前記現在の位置（４００）とは異なる前記ホームネットワーク（２）内の候補位置（４０１）に置かれた前記Ｗｉ−Ｆｉ拡張装置（４）のＷｉ−Ｆｉカバレッジ（１００）を決定するステップと、
すべての候補位置（４０１）における前記Ｗｉ−Ｆｉカバレッジ（１００）が前記現在の位置（４００）における前記Ｗｉ−Ｆｉカバレッジ（１００）よりも低いときに、電力線の現在の位置（５００）に置かれたおよび前記電力の現在の位置（５００）とは異なる前記ホームネットワーク（２）内の電力線拡張装置候補位置（５０１）に置かれた前記電力線拡張装置（５）のカバレッジ（１２０）を決定するステップと、
前記カバレッジ（１２０）が前記電力線の現在の位置（５００）におけるカバレッジ（１２０）を超えたとき、前記電力線拡張装置（５）を前記電力線拡張装置候補位置（５０１）に再配置するステップと
を含む、方法。
【請求項１１】
請求項１０に記載の方法を実行するように構成されたソフトウェアコードを含む、コンピュータプログラム。
【請求項１２】
コンピューティングシステムによって実行されると請求項１０に記載の方法を実行するコンピュータ実行可能命令を含む、コンピュータ可読記憶媒体。
【発明の詳細な説明】
【技術分野】
【０００１】
本発明は、ホームネットワーク診断およびトラブルシューティングの分野に関する。より詳細には、本発明は、Ｗｉ−Ｆｉホームネットワーク診断およびトラブルシューティングの分野に関する。
【背景技術】
【０００２】
デジタルテレビジョン、オンラインゲームおよびホームオートメーションなどの新しい適用分野および技術の開発とともに、インターネットアクセスは、家庭用デバイス、たとえばセットトップボックス、ゲーム機、ホームオートメーションシステム、いくつかのデスクトップおよびラップトップなど、様々なタイプに広がる必要がある。これらのすべての家庭用デバイスは、Ｗｉ−Ｆｉネットワークなどのホームネットワークを用いて相互接続される。ホームネットワーク全体にわたって均一なカスタマエクスペリエンス、ＱｏＥとも称される、を保証するために、ホームネットワークにおけるＷｉ−Ｆｉカバレッジの向上に対処する必要がある。
【０００３】
アクセスポイントは、異なる部屋、異なる階、異なるアパートなどにわたって、ランダムな方式で、そのようなホームネットワークにおいて配備される。これは、干渉、競合、負荷バランシングの問題などをもたらすが、不十分なカバレッジは、ホームネットワークにおいて遭遇する最も深刻な問題のうちの１つとして残っている。ホームネットワークにおける壁などの障害物、広がったレイアウト、および、アクセスポイントの準最適な配置のすべてが、ホームネットワークにおけるいくつかのカバレッジホールを生じさせる。カバレッジホールに加えて、ホームネットワークのいくつかのエリアは、エンドユーザのデバイスがアクセスポイントからＷｉ−Ｆｉ信号をほとんど受信できない、不十分な受信ゾーンであることがある。エンドユーザは、この場合、不十分なパフォーマンスと、彼のＱｏＥの低下とを経験する。
【０００４】
高密度のＷｉ−Ｆｉ配備は、Ｗｉ−Ｆｉカバレッジを大きく向上させ、それによって顧客のＱｏＥを向上させるための方法の１つである。たとえば、付加的アクセスポイント、たとえばＷｉ−Ｆｉ拡張装置およびＷｉ−Ｆｉリピータなど、が、均一なカスタマエクスペリエンスを保証するために、ホームネットワークにおいて配備される。これらの付加的アクセスポイントのタイプおよび位置は、マニュアルで選択される。各付加的アクセスポイントは、付加的アクセスポイントがＷｉ−Ｆｉカバレッジゾーンに入るとすぐにアクティブ化されるインジケータを実際に備える。
【０００５】
いくつかの制限が、高密度のＷｉ−Ｆｉ配備と依然として結びついている。先ず、アクセスポイントと、Ｗｉ−Ｆｉ拡張装置もしくはリピータと、端末装置との間のリンクの連続的な監視も遠隔の監視も存在しない。新しい障害物が生じるときおよび／またはホームネットワークのレイアウトが広がるとき、ホームネットワーク内のＷｉ−Ｆｉカバレッジが変化することになり得る。さらに、付加的アクセスポイントの検出閾値は、事前定義され、調節することはできない。アクセスポイントの各プロバイダは、別のプロバイダの閾値のセットと互換性がないことがある閾値のセットを事前定義する。彼らのインジケータによって提供される表示は、ホームネットワーク内の平均Ｗｉ−Ｆｉカバレッジを反映しない即時測定値である。加えて、それらの表示と期待されるＷｉ−Ｆｉカバレッジとの間に相関関係は存在しない。最後に、インジケータが故障した場合、エンドユーザは、アクセスポイントが故障したか、あるいはＷｉ−Ｆｉカバレッジが弱すぎるかを決定することができないことになる。
【０００６】
カスタマＱｏＥを向上させるための提案されたもう１つの解決法は、２０１３年１月に発行された、「Ｑｕａｌｃｏｍｍ  Ｈｙ−Ｆｉ  Ｔｏｔａｌ  Ｃｏｎｆｉｇｕｒａｔｉｏｎ  Ａｌｇｏｒｉｔｈｍ  （ＴＣＡ）  ｆｏｒ  Ｈｙｂｒｉｄ  Ｄｅｖｉｃｅｓ」という題名のＱｕａｌｃｏｍｍ  の白書に記載されている。この解決法は、Ｗｉ−Ｆｉカバレッジが最適化されるように、およびアクセスポイントの間の干渉が最小化されるように、ホームネットワークのアクセスポイントがそれらのパラメータを調整する、ハイブリッドネットワークに依存する。この手法は、複雑であり、非常に費用がかかる。
【先行技術文献】
【非特許文献】
【０００７】
【非特許文献１】Ｑｕａｌｃｏｍｍの白書、「Ｑｕａｌｃｏｍｍ  Ｈｙ−Ｆｉ  Ｔｏｔａｌ  Ｃｏｎｆｉｇｕｒａｔｉｏｎ  Ａｌｇｏｒｉｔｈｍ  （ＴＣＡ）  ｆｏｒ  Ｈｙｂｒｉｄ  Ｄｅｖｉｃｅｓ」、２０１３年１月発行
【発明の概要】
【発明が解決しようとする課題】
【０００８】
既存の解決法の前述の識別された欠点を克服するデバイスおよび関連方法を開示することが目的である。さらに具体的には、均一なカスタマエクスペリエンスを保証するための単純で費用効率の高い解決法を配備する、ホームネットワークにおけるＷｉ−Ｆｉカバレッジを最適化するためのシステムを開示することが目的である。
【課題を解決するための手段】
【０００９】
本発明の第１の態様によれば、上記で定義した目的は、少なくともシステム、アクセスポイント、Ｗｉ−Ｆｉ拡張装置および電力線拡張装置を備えるホームネットワークにおいてＷｉ−Ｆｉカバレッジを最適化するためのシステムによって実現され、本システムは：
−  ホームネットワークにおいてアクセスポイントと前記Ｗｉ−Ｆｉ拡張装置の現在の位置との間でＷｉ−Ｆｉ信号強度を監視するように構成されたＷｉ−Ｆｉ信号強度モニタと、
−  Ｗｉ−Ｆｉ信号強度が事前定義された信号強度閾値未満であるときに、現在の位置に置かれたおよび現在の位置とは異なるホームネットワーク内の候補位置に置かれたＷｉ−Ｆｉ拡張装置のＷｉ−Ｆｉカバレッジを決定するように構成されたＷｉ−Ｆｉ拡張装置位置最適化モジュールと、
−  電力線拡張装置位置最適化モジュールであって、
すべての候補位置におけるＷｉ−Ｆｉカバレッジが、現在の位置におけるＷｉ−Ｆｉカバレッジよりも低いとき、電力線の現在の位置に置かれたおよび電力線の現在の位置とは異なるホームネットワーク内の電力線拡張装置候補位置に置かれた電力線拡張装置のカバレッジを決定し、
そのカバレッジが電力線の現在の位置におけるカバレッジを超えたとき、電力線拡張装置候補位置に電力線拡張装置を再配置する
ように構成された、電力線拡張装置位置最適化モジュールと
を備える。
【００１０】
本発明によるシステムは、ホームネットワーク内のＷｉ−Ｆｉカバレッジを最適化する。本システムは、ホームネットワークのＷｉ−Ｆｉ拡張装置の現在の位置とホームネットワークのアクセスポイントとの間のネットワークリンクの集計された統計値を考慮する。言い換えれば、本発明によるシステムは、ホームネットワークのアクセスポイントによって収集されたパラメータを考慮してホームネットワーク内のＷｉ−Ｆｉカバレッジを最適化する。本システムはさらに、ホームネットワーク内のＷｉ−Ｆｉカバレッジを継続的に監視し、それによって、Ｗｉ−Ｆｉ拡張装置の可能な代替位置および電力線拡張装置の可能な代替位置でのＷｉ−Ｆｉカバレッジを評価し、Ｗｉ−Ｆｉカバレッジが最適化され得るときにＷｉ−Ｆｉ拡張装置および／または電力線拡張装置の再配置を推奨する。言い換えれば、本システムは、Ｗｉ−Ｆｉ拡張装置とアクセスポイントとの間のリンクの品質を遠隔で調査し、いくつかの論理的ステップを介して、Ｗｉ−Ｆｉ拡張装置の位置を最適化する。したがって、ホームネットワーク内のＷｉ−Ｆｉカバレッジの最適化は、本発明によるシステムにおいて集中化される。これにより、ホームネットワーク内のＷｉ−Ｆｉカバレッジを最適化するために必要とされる機器を最小限にする。
【００１１】
本発明によれば、Ｗｉ−Ｆｉカバレッジは、アクセスポイントによって放出されるワイヤレス信号のワイヤレス信号範囲およびワイヤレス信号強度を含み、一方、カバレッジは、競合ファクタ、すなわち、同じまたは隣接するワイヤレスチャネル上で動作していてエアタイムについてＷｉ−Ｆｉ拡張装置と競合しているホームネットワークのいくつかのネイバーのアクセスポイント、に関わる。本発明によるホームネットワークは、家の中にまたは家に近接して存在するデジタルデバイスの間の通信を円滑にすることを目的とした、ある種のローカルエリアネットワークである。本ネットワークに参加することができるデバイス、たとえば、コンピュータ、タブレット、スマートフォン、ネットワークプリンタおよびハンドヘルドモバイルコンピュータなどのスマートデバイス、は、それらの対話する能力を介して向上された新しい能力をしばしば得る。本発明によるホームネットワークは、本発明によるシステム、アクセスポイント、Ｗｉ−Ｆｉ拡張装置および電力線拡張装置を備える。別法として、本発明によるホームネットワークは、複数のアクセスポイント、複数のＷｉ−Ｆｉ拡張装置、複数の電力線拡張装置などを備える。本発明によるアクセスポイントは、ワイヤレスアクセスポイント、たとえばＷｉ−Ｆｉ対応デバイスがホームネットワークに接続することを可能にするネットワーキングハードウェアデバイス、である。本発明によれば、ワイヤレス範囲拡張装置とも称される、ワイヤレスリピータは、たとえば、ワイヤレスルータまたはワイヤレスアクセスポイントから既存の信号を取り込み、それを中継放送して第２のネットワークを作り出す、ネットワーキングハードウェアデバイスである。２つ以上のＷｉ−Ｆｉ対応デバイスが互いに接続される必要があり、その距離が直接接続を確立するには長過ぎるとき、ワイヤレスリピータが、その間隔を埋めるために使用され、それによって、家庭、ビルディング、オフィスなどの中のＷｉ−Ｆｉカバレッジを改善する。本発明によれば、電力線拡張装置は、たとえば、電気配線を使用してデータと交流の送電もしくは配電との両方を同時に運ぶネットワーキングハードウェアデバイスである。電力線通信はまた、電力線搬送、電力線デジタル加入者線、電源通信、電力線電気通信、または電力線ネットワーキングとも称される。ホームネットワーク内のＷｉ−Ｆｉ拡張装置の候補位置は、ホームネットワーク内のＷｉ−Ｆｉ拡張装置の現在の位置とは異なり、Ｗｉ−Ｆｉ拡張装置をホストするのに適したホームネットワーク内の位置として理解されるべきである。ホームネットワーク内の電力線拡張装置の電力線拡張装置候補位置は、ホームネットワーク内の電力線拡張装置の現在の位置とは異なり、電力線拡張装置をホストするのに適したホームネットワーク内の位置として理解されるべきである。
【００１２】
本発明の任意選択の一態様によれば、本システムはさらに、アクセスポイントとＷｉ−Ｆｉ拡張装置の現在の位置との間の達成可能なスループットをＷｉ−Ｆｉ信号強度から決定するように構成されたスループット評価ユニットを備える。
【００１３】
このようにして、本システムは、ホームネットワーク内のＷｉ−Ｆｉ拡張装置の現在の位置とアクセスポイントとの間のリンクの達成可能なパフォーマンスの洞察を提供する。言い換えれば、本システムは、Ｗｉ−Ｆｉ拡張装置の現在の位置とアクセスポイントとの間のリンクの品質を遠隔で調査し、エンドユーザの関与を必要とせずに、アクセスポイントによって収集された遠隔で収集されたパラメータに基づいて、アクセスポイントとＷｉ−Ｆｉ拡張装置の現在の位置との間の達成可能なスループットを評価する。
【００１４】
本発明の任意選択の一態様によれば、本システムはさらに、候補位置のおよび電力線拡張装置候補位置の位置データを収集するように構成された位置データ収集ユニットを備える。
【００１５】
このようにして、本システムは、ホームネットワーク内のＷｉ−Ｆｉカバレッジを最適化するときに考慮されるエンドユーザデータを得る。ホームネットワーク内のＷｉ−Ｆｉ拡張装置の候補位置およびホームネットワーク内の電力線拡張装置の電力線拡張装置候補位置の位置データが、エンドユーザデバイスから収集される。
【００１６】
本発明の任意選択の一態様によれば、位置データは、以下のうちの１つまたは複数を含む：
−  各々の候補位置のＷｉ−Ｆｉ信号強度および競合ファクタ、
−  電力線拡張装置候補位置の電力線拡張装置競合ファクタ。
【００１７】
Ｗｉ−Ｆｉ拡張装置の所与の位置における競合ファクタは、同じまたは隣接するワイヤレスチャネルで動作していてエアタイムについてＷｉ−Ｆｉ拡張装置と競合しているいくつかのネイバーのアクセスポイントを含む。電力線拡張装置の所与の位置における競合ファクタは、同じまたは隣接するワイヤレスチャネルで動作していてエアタイムについて電力線拡張装置と競合しているいくつかのネイバーのアクセスポイントを含む。
【００１８】
本発明の任意選択の一態様によれば、Ｗｉ−Ｆｉ拡張装置位置最適化モジュールは：
−  位置データ収集ユニットから候補位置の位置データを受信し、
−  現在の位置の信号品質スコアをＷｉ−Ｆｉ信号強度から決定し、
−  各々の候補位置の信号品質スコアを位置データから決定し、
−  各々の信号品質スコアを事前定義された品質スコア閾値と比較し、
−  信号品質スコアが事前定義された品質スコア閾値に適合する、そして信号品質スコアが現在の位置の信号品質スコアを超えている、選択位置を選択し、
−  Ｗｉ−Ｆｉ拡張装置を選択位置に再配置する、
ようにさらに構成され、
スループット評価ユニットは、アクセスポイントと選択位置との間の達成可能なスループットを決定するようにさらに構成される。
【００１９】
信号品質スコアは、ホームネットワーク内のＷｉ−Ｆｉ拡張装置の所与の位置におけるＷｉ−Ｆｉカバレッジの品質を示す。Ｗｉ−Ｆｉ拡張装置位置最適化モジュールは、Ｗｉ−Ｆｉ拡張装置の現在の位置の信号品質スコアを決定するときにネットワークデバイスから遠隔で収集された位置データを考慮する。加えて、Ｗｉ−Ｆｉ拡張装置位置最適化モジュールは、Ｗｉ−Ｆｉ拡張装置の候補位置の信号品質スコアを決定するときに、ネットワークデバイスから遠隔で収集された位置データを考慮する。Ｗｉ−Ｆｉ拡張装置の候補位置の信号品質スコアが、Ｗｉ−Ｆｉ拡張装置の現在の位置の信号品質スコアより高いとき、Ｗｉ−Ｆｉ拡張装置位置最適化モジュールが、Ｗｉ−Ｆｉ拡張装置を候補位置に再配置してホームネットワーク内のＷｉ−Ｆｉカバレッジを最適化する。言い換えれば、Ｗｉ−Ｆｉ拡張装置位置最適化モジュールは、ホームネットワーク内のＷｉ−Ｆｉカバレッジが最適化されるＷｉ−Ｆｉ拡張装置の候補位置が存在するかを識別するように、およびこれが存在する場合にはこの候補位置にＷｉ−Ｆｉ拡張装置を移動するように構成される。
【００２０】
本発明の任意選択の一態様によれば、電力線拡張装置位置最適化モジュールは：
−  位置データ収集ユニットから電力線候補位置の位置データを受信し、
−  電力線の現在の位置の競合ファクタを決定し、
−  電力線拡張装置候補位置の電力線競合ファクタを位置データから決定し、
−  電力線拡張装置候補位置の電力線競合ファクタを電力線の現在の位置の電力線競合ファクタと比較し、
−  電力線競合ファクタが電力線の現在の位置の電力線競合ファクタよりも低い、選択電力線拡張装置位置を選択し、
−  電力線拡張装置を選択電力線拡張装置位置に再配置する、
ようにさらに構成され、
スループット評価ユニットは、アクセスポイントと選択電力線拡張装置位置との間の達成可能なスループットを決定するようにさらに構成される。
【００２１】
電力線競合ファクタは、ホームネットワーク内の電力線拡張装置の所与の位置のカバレッジの品質を示す。電力線拡張装置位置最適化モジュールは、電力線拡張装置の現在の位置の電力線競合ファクタを決定するときにネットワークデバイスから遠隔で収集された位置データを考慮する。加えて、電力線拡張装置位置最適化モジュールは、電力線拡張装置の電力線拡張装置候補位置の電力線競合ファクタを決定するときに、ネットワークデバイスから遠隔で収集された位置データを考慮する。電力線拡張装置の電力線拡張装置候補位置の電力線競合ファクタが、電力線拡張装置の電力線の現在の位置の電力線競合ファクタより低いとき、電力線拡張装置位置最適化モジュールは、電力線拡張装置を電力線拡張装置候補位置に再配置してホームネットワーク内のＷｉ−Ｆｉカバレッジを最適化する。言い換えれば、電力線拡張装置位置最適化モジュールは、ホームネットワーク内のカバレッジが最適化される電力線拡張装置の電力線拡張装置候補位置が存在するかを識別するように、そしてこれが存在する場合にはこの電力線拡張装置候補位置に電力線拡張装置を移動するように構成される。
【００２２】
本発明の任意選択の一態様によれば、Ｗｉ−Ｆｉ拡張装置位置最適化モジュールは：
−  現在の位置のおよび各々の候補位置の位置データからスケーリングされた競合ファクタを決定し、
−  各々の候補位置についておよび現在の位置について、前記Ｗｉ−Ｆｉ信号強度からスケーリングされた競合ファクタを差し引き、それによって、信号品質スコアを決定し、
−  各々の候補位置についておよび現在の位置について、信号品質スコアの最大値の引数を決定し、
−  各々の候補位置について、Ｗｉ−Ｆｉ信号強度を事前定義された品質スコア閾値と比較し、
−  前記Ｗｉ−Ｆｉ信号強度が事前定義された品質スコア閾値よりも高く、最大値の最高の引数を有する、選択位置を選択する
ようにさらに構成される。
【００２３】
このようにして、Ｗｉ−Ｆｉ信号強度と競合ファクタとの両方が、より高いＷｉ−Ｆｉカバレッジを有するホームネットワーク内の候補位置が存在するかを決定するときに、考慮される。
【００２４】
本発明の任意選択の一態様によれば、Ｗｉ−Ｆｉ拡張装置のＷｉ−Ｆｉカバレッジは、信号品質スコアを含む。
【００２５】
本発明の任意選択の一態様によれば、電力線拡張装置のカバレッジは、電力線競合ファクタを含む。
【００２６】
本発明の第２の態様によれば、少なくともアクセスポイント、Ｗｉ−Ｆｉ拡張装置および電力線拡張装置を備えるホームネットワークにおいてＷｉ−Ｆｉカバレッジを最適化するための方法が提供され、本方法は：
−  ホームネットワーク内のアクセスポイントとＷｉ−Ｆｉ拡張装置の現在の位置との間のＷｉ−Ｆｉ信号強度を監視するステップと、
−  Ｗｉ−Ｆｉ信号強度が事前定義された信号強度閾値未満であるときに、現在の位置に置かれたおよび現在の位置とは異なるホームネットワーク内の候補位置に置かれたＷｉ−Ｆｉ拡張装置のＷｉ−Ｆｉカバレッジを決定するステップと、
−  すべての候補位置におけるＷｉ−Ｆｉカバレッジが現在の位置におけるＷｉ−Ｆｉカバレッジより低いときに、電力線の現在の位置に置かれたおよび電力線の現在の位置とは異なるホームネットワーク内の電力線拡張装置候補位置に置かれた電力線拡張装置のカバレッジを決定することと、
−  そのカバレッジが電力線の現在の位置におけるカバレッジを超えたときに、電力線拡張装置を電力線拡張装置候補位置に再配置するステップと
を含む。
【００２７】
本発明による方法は、ホームネットワーク内のＷｉ−Ｆｉカバレッジを最適化する。本方法は、ホームネットワークのＷｉ−Ｆｉ拡張装置の現在の位置とホームネットワークのアクセスポイントとの間と、ホームネットワークの電力線拡張装置の現在の位置とホームネットワークのアクセスポイントとの間のネットワークリンクの集計された統計値を考慮する。言い換えれば、本発明による方法は、ホームネットワークのアクセスポイントによって収集されたパラメータを考慮してホームネットワーク内のＷｉ−Ｆｉカバレッジを最適化する。本方法はさらに、ホームネットワーク内のＷｉ−Ｆｉカバレッジを継続的に監視し、それによって、Ｗｉ−Ｆｉ拡張装置の可能な代替位置および電力線拡張装置の可能な代替位置でのＷｉ−Ｆｉカバレッジを評価し、Ｗｉ−Ｆｉカバレッジが最適化され得るときにＷｉ−Ｆｉ拡張装置および／または電力線拡張装置の再配置を推奨する。言い換えれば、本方法は、Ｗｉ−Ｆｉ拡張装置とアクセスポイントとの間のリンクの品質を遠隔で調査し、いくつかの論理的ステップを介して、Ｗｉ−Ｆｉ拡張装置の位置を最適化する。したがって、ホームネットワーク内のＷｉ−Ｆｉカバレッジの最適化は、集中化される。これは、ホームネットワーク内のＷｉ−Ｆｉカバレッジを最適化するために必要とされる機器を最小限にする。
【００２８】
本発明は、加えて、本発明による方法を実行するように構成されたソフトウェアコードを含むコンピュータプログラムにも関する。
【００２９】
本発明はさらに、本発明によるコンピュータプログラムを備えるコンピュータ可読ストレージ媒体に関する。
【図面の簡単な説明】
【００３０】
【図１】本発明によるシステムの一実施形態を概略的に示す図である。
【図２】Ｗｉ−Ｆｉカバレッジがホームネットワークにおいて最適化される本発明による方法のステップの一実施形態を概略的に示す図である。
【図３】ホームネットワークのＷｉ−Ｆｉ拡張装置のポジティブなＷｉ−Ｆｉカバレッジテストの結果を概略的に示す図である。
【図４】ホームネットワークのＷｉ−Ｆｉ拡張装置の選択位置のポジティブな選択を概略的に示す図である。
【図５】ホームネットワークのＷｉ−Ｆｉ拡張装置の選択位置が存在しないテストを概略的に示す図である。
【図６】ホームネットワークの電力線拡張装置の選択された電力線位置のポジティブな選択を概略的に示す図である。
【図７】図１のシステムをホストするための適切なコンピューティングシステムを概略的に示す図である。
【発明を実施するための形態】
【００３１】
図１に示す一実施形態によれば、ホームネットワーク２は、少なくともシステム１、アクセスポイント３、Ｗｉ−Ｆｉ拡張装置４、電力線拡張装置５およびワイヤレス接続性を備えた４つのネットワーキングデバイス６００を備える。ネットワーキングデバイス６００は、たとえばコンピュータ、ラップトップ、スマートフォン、タブレット、スマートテレビジョン、スマートプリンタなどである。ホームネットワーク２は、Ｗｉ−Ｆｉ拡張装置４の、電力線拡張装置５のおよび／またはネットワーキングデバイス６００の複数のアクセスポイント３を備え得る。Ｗｉ−Ｆｉ拡張装置４は、ホームネットワーク２内の現在の位置４００にある。電力線拡張装置５は、ホームネットワーク２内の電力線の現在の位置５００にある。ホームネットワーク２は、現在の位置４００とは異なるＷｉ−Ｆｉ拡張装置４の複数の候補位置４０１を備える。ホームネットワーク２は、電力線の現在の位置５００とは異なる電力線拡張装置５の複数の電力線拡張装置候補位置５０１を備える。システム１は、Ｗｉ−Ｆｉ信号強度モニタ１０、Ｗｉ−Ｆｉ拡張装置位置最適化モジュール１１、電力線拡張装置位置最適化モジュール１２、スループット評価ユニット１３および位置データ収集ユニット１４を備える。位置データ収集ユニット１４は、潜在的位置４０１のおよび電力線拡張装置候補位置５０１の位置データ１４０をネットワーキングデバイス６００から収集する。位置データ１４０は、以下のうちの１つまたは複数を含む：各々の候補位置４０１についてのＷｉ−Ｆｉ信号強度１１０および競合ファクタ、電力線拡張装置候補位置５０１の電力線拡張装置競合ファクタ。Ｗｉ−Ｆｉ信号強度モニタ１０は、アクセスポイント３とその現在の位置４００にあるＷｉ−Ｆｉ拡張装置４との間のＷｉ−Ｆｉ信号強度１１０を監視する。Ｗｉ−Ｆｉ信号強度モニタ１０は、Ｗｉ−Ｆｉ信号強度１１０が事前定義された信号強度閾値未満であるかを決定する。Ｗｉ−Ｆｉ信号強度１１０が、現在の位置４００における事前定義された信号強度閾値を超えているとき、スループット評価ユニット１３は、アクセスポイント３と現在の位置４００との間の達成可能なスループット１３０を決定する。Ｗｉ−Ｆｉ信号強度１１０が、事前定義された信号強度閾値未満であるとき、Ｗｉ−Ｆｉ拡張装置位置最適化モジュール１１は、現在の位置４００に置かれたおよび候補位置４０１に置かれたＷｉ−Ｆｉ拡張装置４のＷｉ−Ｆｉカバレッジ１００を決定する。Ｗｉ−Ｆｉカバレッジ１００は、信号品質スコア１１１を含む。Ｗｉ−Ｆｉ拡張装置位置最適化モジュール１１は、位置データユニット１４から候補位置４０１の位置データ１４０を受信する。Ｗｉ−Ｆｉ拡張装置位置最適化モジュール１１は、位置データ１４０から、具体的にはＷｉ−Ｆｉ信号強度１１０から、現在の位置４００についておよび各々の候補位置４０１についてスケーリングされた競合ファクタを決定する。現在の位置４００および各々の候補位置４０１について、Ｗｉ−Ｆｉ拡張装置位置最適化モジュール１１は、スケーリングされた競合ファクタをＷｉ−Ｆｉ信号強度１１０から差し引き、それによって、Ｗｉ−Ｆｉ拡張装置４００の現在の位置４００の信号品質スコア１１１およびホームネットワーク２内の各々の候補位置４０１の信号品質スコア１１１を決定する。現在の位置４００についておよび各々の候補位置４０１について、Ｗｉ−Ｆｉ拡張装置位置最適化モジュール１１は、信号品質スコア１１１の最大値の引数を決定する。各々の潜在的位置４０１について、Ｗｉ−Ｆｉ拡張装置位置最適化モジュール１１は、Ｗｉ−Ｆｉ信号強度１１０を事前定義された品質スコア閾値と比較する。Ｗｉ−Ｆｉ拡張装置位置最適化モジュール１１は、次いで、Ｗｉ−Ｆｉ信号強度１１０が事前定義された品質スコア閾値より高くて信号品質スコア１１１が現在の位置４００の信号品質スコア１１１を超えている選択位置４０２、すなわち信号品質スコア１１１の最大値の最高の引数を有する候補位置４０１、を選択する。Ｗｉ−Ｆｉ拡張装置位置最適化モジュール１１は、次いで、Ｗｉ−Ｆｉ拡張装置４を選択位置４０２に再配置する。スループット評価ユニット１３は、次いで、アクセスポイント３と選択位置４０２との間の達成可能なスループット１３０を決定する。すべての候補位置４０１におけるＷｉ−Ｆｉカバレッジ１００が、現在の位置４００におけるＷｉ−Ｆｉカバレッジ１００よりも低いとき、電力線拡張装置位置最適化モジュール１２は、電力線の現在の位置５００に置かれたおよび電力線拡張装置候補位置５０１に置かれた電力線拡張装置５のカバレッジ１２０を決定する。カバレッジ１２０は、電力線競合ファクタ２２２を含む。電力線拡張装置位置最適化モジュール１２は、データ収集ユニット１４から電力線拡張装置候補位置５０１の位置データ１４０を受信する。電力線拡張装置位置最適化モジュール１２は、次いで、電力線の現在の位置５００の電力線競合ファクタ２２２、および電力線拡張装置候補位置５０１の電力線競合ファクタ２２２を決定する。電力線拡張装置位置最適化モジュール１２は、電力線拡張装置候補位置５０１の電力線競合ファクタ２２２を電力線の現在の位置５００の電力線競合ファクタ２２２と比較し、電力線競合ファクタ２２２が電力線の現在の位置５００の電力線競合ファクタ２２２より低い、選択電力線位置５０２を選択する。電力線拡張装置位置最適化モジュール１２は、次いで、電力線拡張装置５を選択電力線位置５０２に再配置する。スループット評価ユニット１３は、次いで、アクセスポイント３と電力線選択位置５０２との間の達成可能なスループット１３０を決定する。
【００３２】
図２に示す一実施形態によれば、少なくともアクセスポイント３、Ｗｉ−Ｆｉ拡張装置４および電力線拡張装置５を備えるホームネットワーク２内のＷｉ−Ｆｉカバレッジ１００を最適化するための本発明による方法は、７つのステップを含む。ステップ７０１において、ホームネットワーク２内のアクセスポイント３とＷｉ−Ｆｉ拡張装置４の現在の位置４００との間のＷｉ−Ｆｉ信号強度１１０が、監視される。Ｗｉ−Ｆｉ信号強度１１０が、ステップ７０２で、事前定義された信号強度閾値と比較される。Ｗｉ−Ｆｉ信号強度１１０が、結果７０７において、事前定義された信号強度閾値を超えているとき、アクセスポイント３とＷｉ−Ｆｉ拡張装置４の現在の位置４００との間の達成可能なスループット１３０が、Ｗｉ−Ｆｉ信号強度１１０から決定される。結果７０８において、Ｗｉ−Ｆｉ信号強度１１０が、事前定義された信号強度閾値未満であるとき、Ｗｉ−Ｆｉ拡張装置４のＷｉ−Ｆｉカバレッジ１００が、ステップ７０３で、現在の位置４００においておよび現在の位置４００とは異なるホームネットワーク２内の候補位置４０１において決定される。現在の位置４００でのおよび候補位置４０１でのＷｉ−Ｆｉカバレッジ１００は、ホームネットワーク２のネットワーキングデバイスから収集された位置データ１４０から決定される。ステップ７０４では、各候補位置４０１に置かれたＷｉ−Ｆｉ拡張装置４のＷｉ−Ｆｉカバレッジ１００が、現在の位置４００に置かれたＷｉ−Ｆｉ拡張装置４のＷｉ−Ｆｉカバレッジ１００と比較される。候補位置４０１におけるＷｉ−Ｆｉカバレッジ１００が、結果７０９において、現在の位置４００におけるＷｉ−Ｆｉカバレッジ１００より高いとき、アクセスポイント３とＷｉ−Ｆｉ拡張装置４のこの潜在的位置４０１との間の達成可能なスループット１３０が、Ｗｉ−Ｆｉ信号強度１１０から決定される。結果７１０において、すべての候補位置４０１におけるＷｉ−Ｆｉカバレッジ１００が、現在の位置４００におけるＷｉ−Ｆｉカバレッジ１００よりも低いとき、電力線の現在の位置５００に置かれたおよびホームネットワーク２内の電力線拡張装置候補位置５０１に置かれた電力線拡張装置５のカバレッジ１２０が、ステップ７０５において決定される。電力線拡張装置候補位置５０１におけるカバレッジ１２０が、電力線の現在の位置５００におけるカバレッジ１２０を超えたとき、電力線拡張装置は、この電力線拡張装置候補位置５０１に再配置される。
【００３３】
図３のプロット１０３は、時間１０１にわたるホームネットワーク内のアクセスポイントとＷｉ−Ｆｉ拡張装置との間のＷｉ−Ｆｉ信号強度１１０の分布を概略的に表す。グラフ１０５は、２．４ＧＨｚにおけるアクセスポイントのＷｉ−Ｆｉ信号を表し、一方、グラフ１０６は、５ＧＨｚにおけるアクセスポイントのＷｉ−Ｆｉ信号を表す。図３のプロット１０４は、Ｗｉ−Ｆｉ信号強度１１０の２．４ＧＨｚにおけるサンプル数１０２を概略的に示す。２．４ＧＨｚにおけるＷｉ−Ｆｉ信号強度１１０のサンプル数１０２の８０％は、図３の−５５ｄＢｍと等しい事前定義された信号強度閾値よりも高い。したがって、Ｗｉ−Ｆｉ拡張装置の位置は修正されず、達成可能なスループットが、次いで、２．４ＧＨｚにおけるＷｉ−Ｆｉ信号強度１１０から計算され得る。一代替実施形態によれば、事前定義された信号強度閾値に適合することが必要とされるＷｉ−Ｆｉ信号強度１１０のサンプル１０２の量は、８０％よりも多い。
【００３４】
図４は、ホームネットワーク内のＷｉ−Ｆｉ拡張装置の１のラベルを付された現在の位置４００についてのおよびホームネットワーク内のＷｉ−Ｆｉ拡張装置の２および３のラベルを付された２つの候補位置４０１についてのＷｉ−Ｆｉカバレッジ１００および競合ファクタ１２１を概略的に示す。図４のプロット１０７は、１のラベルを付された現在の位置４００についての並びに２および３のラベルを付された２つの候補位置４０１についての競合ファクタ１２１に応じてのＷｉ−Ｆｉカバレッジ１００を表す。図４のプロット１０８は、１のラベルを付された現在の位置４００についてのおよびホームネットワーク内のＷｉ−Ｆｉ拡張装置の２および３のラベルを付された各々の候補位置４０１についての信号品質スコア１１１を表す。１のラベルを付された現在の位置４００の５１のラベルを付された信号品質スコア１１１と２のラベルを付された候補位置４０１の５２のラベルを付された信号品質スコア１１１とは、３のラベルを付された潜在的位置４０１の５３のラベルを付された信号品質スコア１１１よりも低い。したがって、推奨８００は、Ｗｉ−Ｆｉ拡張装置を３のラベルを付された候補位置４０１に再配置することを提示する。３のラベルを付された潜在的位置４０１が、次いで、Ｗｉ−Ｆｉ拡張装置の選択位置になる。
【００３５】
図５は、ホームネットワーク内のＷｉ−Ｆｉ拡張装置の１のラベルを付された現在の位置４００についての並びにホームネットワーク内のＷｉ−Ｆｉ拡張装置の２および３のラベルを付された２つの候補位置４０１についてのＷｉ−Ｆｉカバレッジ１００および競合ファクタ１２１を概略的に示す。図５のプロット１０７は、１のラベルを付された現在の位置４００についての並びに２および３のラベルを付された２つの候補位置４０１についての競合ファクタ１２１に応じてのＷｉ−Ｆｉカバレッジ１００を表す。図５のプロット１０８は、１のラベルを付された現在の位置４００についてのおよびホームネットワーク内のＷｉ−Ｆｉ拡張装置の２および３のラベルを付された各々の候補位置４０１についての信号品質スコア１１１を表す。１のラベルを付された現在の位置４００の５１のラベルを付された信号品質スコア１１１は、２のラベルを付された候補位置４０１の５２のラベルを付された信号品質スコア１１１よりも高く、３のラベルを付された候補位置４０１の５３のラベルを付された信号品質スコア１１１よりも高い。したがって、推奨８００は、最適な潜在的位置４０１がホームネットワーク内のＷｉ−Ｆｉ拡張装置について決定されていないことと、ホームネットワークの電力線拡張装置が再配置されなければならないこととを提示する。
【００３６】
図６は、ホームネットワーク内の電力線拡張装置の１のラベルを付された現在の位置５００についての並びにホームネットワーク内の電力線拡張装置の２および３のラベルを付された２つの電力線拡張装置候補位置５０１についての電力線競合ファクタ２２２を概略的に示す。図６のプロット１０９は、１のラベルを付された電力線の現在の位置５００についての並びにホームネットワーク内の電力線拡張装置の２および３のラベルを付された各々の電力線拡張装置潜在的位置５０１についての電力線競合ファクタ２２２を表す。１のラベルを付された電力線の現在の位置５００についての電力線競合ファクタ２２２は、２および３のラベルを付された電力線拡張装置候補位置５０１についての電力線競合ファクタ２２２よりも低い。したがって、推奨８００は、ホームネットワークの電力線拡張装置が、１のラベルを付された電力線の現在の位置５００になければならないことを提示する。１のラベルを付された電力線拡張装置の現在の位置５００は、次いで、電力線拡張装置の電力線選択位置になる。
【００３７】
図７は、図１のシステム１をホストするための適切なコンピューティングシステム８００を示す。コンピューティングシステム９００は、一般に、適切な汎用コンピュータとして形成され得、バス９１０、プロセッサ９０２、ローカルメモリ９０４、１つまたは複数のオプションの入力インターフェース９１４、１つまたは複数のオプションの出力インターフェース９１６、通信インターフェース９１２、ストレージ要素インターフェース５０６、および、１つまたは複数のストレージ要素９０８を備え得る。バス９１０は、コンピューティングシステムのコンポーネント間の通信を可能にする１つまたは複数の導体を備え得る。プロセッサ９０２は、プログラミング命令を解釈および実行する任意のタイプの従来のプロセッサまたはマイクロプロセッサを含み得る。ローカルメモリ９０４は、プロセッサ９０２によって実行するための情報および命令を記憶するランダムアクセスメモリ（ＲＡＭ）もしくは別のタイプの動的ストレージデバイス、および／または、プロセッサ９０４によって使用するための静的情報および命令を記憶する読み取り専用メモリ（ＲＯＭ）もしくは別のタイプの静的ストレージデバイスを含み得る。入力インターフェース９１４は、キーボード９２０、マウス９３０、ペン、音声認識および／またはバイオメトリック機構などの、コンピューティングデバイス９００にオペレータが情報を入力することを可能にする１つまたは複数の従来の機構を備え得る。出力インターフェース９１６は、ディスプレイ９４０、プリンタ９５０、スピーカなどの、オペレータに情報を出力する１つまたは複数の従来の機構を備え得る。通信インターフェース９１２は、たとえば、コンピューティングシステム９００が他のデバイスおよび／またはシステムと通信することを可能にする２つの１Ｇｂイーサネットインターフェースなどの、任意のトランシーバのような機構、たとえば１つまたは複数の他のコンピューティングシステム５０と通信するための機構、を備え得る。コンピューティングシステム９００の通信インターフェース９１２は、ローカルエリアネットワーク（ＬＡＮ）またはワイドエリアネットワーク（ＷＡＮ）、たとえばインターネットなど、を用いて、そのような別のコンピューティングシステムに接続することができ、その場合、他方のコンピューティングシステム９８０は、たとえば、適切なウェブサーバを備え得る。ストレージ要素インターフェース９０６は、たとえばシリアルアドバンストテクノロジアタッチメント（ＳＡＴＡ）インターフェースまたはスモールコンピュータシステムインターフェース（ＳＣＳＩ）などの、ストレージインターフェースを備えることができ、たとえば１ＴＢ  ＳＡＴＡディスクドライブなどの１つまたは複数のローカルディスクのような、１つまたは複数のストレージ要素９０８に、バス９１０を接続し、これらのストレージ要素９０８へのおよび／またはからのデータの読み取りおよび書き込みを制御することができる。前述のストレージ要素９０８はローカルディスクとして説明されているが、一般に、取外し可能な磁気ディスク、ＣＤもしくはＤＶＤ−ＲＯＭディスクなどの光ストレージ媒体、ソリッドステートドライブ、フラッシュメモリカー���…などの任意の他の適切なコンピュータ可読媒体が使用され得る。前述のシステム９００はまた、物理ハードウェア上の仮想マシンとして実行することもできる。
【００３８】
図１のシステム１は、コンピューティングシステム９００のローカルメモリ９０４に記憶されたプログラミング命令として実装され、そのプロセッサ９０２によって実行され得る。別法として、図１のシステム１は、ストレージ要素９０８に記憶され得、通信インターフェース９１２を介して別のコンピューティングシステム５０からアクセス可能になり得る。
【００３９】
本発明は、特定の実施形態を参照して示されているが、本発明は、前述の例示的実施形態の詳細に制限されないことと、本発明は、その範囲を逸脱することなく、様々な変更形態および修正形態で実施され得ることとが、当業者には明らかとなろう。したがって、本実施形態は、あらゆる点で、例示であり、制限的ではないと考えられるべきであり、本発明の範囲は、前述の説明によってではなくて、添付の特許請求の範囲によって示され、したがって、本特許請求の範囲の同等の意味および範囲内にあるすべての変更形態は、本発明に包含されることが意図されている。言い換えれば、本発明は、その基本的基礎原理の範囲内にあり、その本質的属性が本特許出願において請求されている、あらゆるすべての修正形態、変更形態または均等物を包含することが企図されている。「備える」または「含む」という言葉が他の要素またはステップを排除しないことと、「１つの」または「一」という言葉が複数を排除しないことと、コンピュータシステム、プロセッサ、または別の集積ユニットなどの単一の要素が、本特許請求の範囲に記載のいくつかの手段の機能を実行し得ることとが、本特許出願の読者にはさらに理解されよう。本特許請求の範囲内におけるいずれの参照記号も、関係するそれぞれの請求項を限定するものとして解釈されないものとする。本明細書または本特許請求の範囲において使用されるとき、「第１の」、「第２の」、「第３の」、「ａ」、「ｂ」、「ｃ」のような用語は、同様の要素またはステップを区別するものとして使用されており、必ずしも順次にまたは時系列で記載されていない。同様に、「上部」、「下部」、「上」、「下」のような用語は、説明を目的として使用されており、関連する位置を必ずしも意味しない。そのように使用された用語は適切な状況下で置き換え可能であり、本発明の実施形態は他の順番でまたは前述のもしくは図示されたものとは異なる方向で本発明により動作可能であることを理解されたい。
【図１】
2019520747.tif 000003
【図２】
2019520747.tif 000004
【図３】
2019520747.tif 000005
【図４】
2019520747.tif 000006
【図５】
2019520747.tif 000007
【図６】
2019520747.tif 000008
【図７】
2019520747.tif 000009
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
少なくともシステム（１）、アクセスポイント（３）、Ｗｉ−Ｆｉ拡張装置（４）および電力線拡張装置（５）を備えるホームネットワーク（２）内のＷｉ−Ｆｉカバレッジ（１００）を最適化するための前記システム（１）であって、
前記ホームネットワーク（２）において前記アクセスポイント（３）と前記Ｗｉ−Ｆｉ拡張装置（４）の現在の位置（４００）との間のＷｉ−Ｆｉ信号強度（１１０）を監視するように構成されたＷｉ−Ｆｉ信号強度モニタ（１０）と、
前記Ｗｉ−Ｆｉ信号強度（１１０）が事前定義された信号強度閾値未満であるときに、前記現在の位置（４００）に置かれたおよび前記現在の位置（４００）とは異なる前記ホームネットワーク（２）内の候補位置（４０１）に置かれた前記Ｗｉ−Ｆｉ拡張装置（４）のＷｉ−Ｆｉカバレッジ（１００）を決定するように構成されたＷｉ−Ｆｉ拡張装置位置最適化モジュール（１１）と、
電力線拡張装置位置最適化モジュール（１２）であって、
すべての候補位置（４０１）における前記Ｗｉ−Ｆｉカバレッジ（１００）が前記現在の位置（４００）における前記Ｗｉ−Ｆｉカバレッジ（１００）よりも低いときに、電力線の現在の位置（５００）に置かれたおよび前記電力の現在の位置（５００）とは異なる前記ホームネットワーク（２）内の電力線拡張装置候補位置（５０１）に置かれた前記電力線拡張装置（５）のカバレッジ（１２０）を決定し、
前記カバレッジ（１２０）が前記電力線の現在の位置（５００）におけるカバレッジ（１２０）を超えたときに、前記電力線拡張装置（５）を前記電力線拡張装置候補位置（５０１）に再配置する
ように構成された電力線拡張装置位置最適化モジュール（１２）と
を備える、システム（１）。
【請求項２】
前記システム（１）が、前記アクセスポイント（３）と前記Ｗｉ−Ｆｉ拡張装置（４）の前記現在の位置（４００）との間の達成可能なスループット（１３０）を前記Ｗｉ−Ｆｉ信号強度（１１０）から決定するように構成されたスループット評価ユニット（１３）をさらに備える、請求項１に記載のシステム（１）。
【請求項３】
前記システム（１）が、前記候補位置（４０１）のおよび前記電力線拡張装置候補位置（５０１）の位置データ（１４０）を収集するように構成された位置データ収集ユニット（１４）をさらに備える、請求項１に記載のシステム（１）。
【請求項４】
前記位置データ（１４０）が、
各々の前記候補位置（４０１）の前記Ｗｉ−Ｆｉ信号強度（１１０）および競合ファクタ（１２１）と、
前記電力線拡張装置候補位置（５０１）の電力線拡張装置競合ファクタ（１１３）と
のうちの１つまたは複数を備える、請求項３に記載のシステム（１）。
【請求項５】
前記Ｗｉ−Ｆｉ拡張装置位置最適化モジュール（１１）が、
前記位置データ収集ユニット（１４）から前記候補位置（４０１）の位置データ（１４０）を受信し、
前記Ｗｉ−Ｆｉ信号強度（１１０）から前記現在の位置（４００）の信号品質スコア（１１１）を決定し、
前記位置データ（１４０）から各々の前記候補位置（４０１）の信号品質スコア（１１１）を決定し、
各々の前記信号品質スコア（１１１）を事前定義された品質スコア閾値と比較し、
前記信号品質スコア（１１１）が前記事前定義された品質スコア閾値に適合する、および前記信号品質スコア（１１１）が前記現在の位置（４００）の前記信号品質スコア（１１１）を超えている、選択位置（４０２）を選択し、
前記Ｗｉ−Ｆｉ拡張装置（４）を前記選択位置（４０２）に再配置する
ようにさらに構成され、前記スループット評価ユニット（１３）が、前記アクセスポイント（３）と前記選択位置（４０２）との間の達成可能なスループット（１３０）を決定するようにさらに構成された、請求項３に記載のシステム（１）。
【請求項６】
前記電力線拡張装置位置最適化モジュール（１２）が、
前記位置データ収集ユニット（１４）から前記電力線拡張装置候補位置（５０１）の位置データ（１４０）を受信し、
前記電力線の現在の位置（５００）の電力線競合ファクタ（２２２）を決定し、
前記電力線拡張装置候補位置（５０１）の電力線競合ファクタ（２２２）を前記位置データ（１４０）から決定し、
前記電力線拡張装置候補位置（５０１）の前記電力線競合ファクタ（２２２）を前記電力線の現在の位置（５００）の前記電力線競合ファクタ（２２２）と比較し、
前記電力線競合ファクタ（２２２）が前記電力線の現在の位置（５００）の前記電力線競合ファクタ（２２２）よりも低い選択電力線位置（５０２）を選択し、
前記電力線拡張装置（５）を前記選択電力線位置（５０２）に再配置する
ようにさらに構成され、前記スループット評価ユニット（１３）が、前記アクセスポイント（３）と前記選択電力線位置（５０２）との間の達成可能なスループット（１３０）を決定するようにさらに構成された、請求項３に記載のシステム（１）。
【請求項７】
前記Ｗｉ−Ｆｉ拡張装置位置最適化モジュール（１１）が、
前記現在の位置（４００）のおよび各々の前記候補位置（４０１）の前記位置データ（１４０）からスケーリングされた競合ファクタ（２２３）を決定し、
各々の前記候補位置（４０１）についておよび前記現在の位置（４００）について、前記スケーリングされた競合ファクタ（２２３）を前記Ｗｉ−Ｆｉ信号強度（１１０）から差し引き、それによって、前記信号品質スコア（１１１）を決定し、
各々の前記候補位置（４０１）についておよび前記現在の位置（４００）について、前記信号品質スコア（１１１）の最大値の引数を決定し、
各々の前記候補位置（４０１）について、前記Ｗｉ−Ｆｉ信号強度（１１０）を前記事前定義された品質スコア閾値と比較し、
前記Ｗｉ−Ｆｉ信号強度（１１０）が前記事前定義された品質スコア閾値より高く、最大値の最高の引数を有する、前記選択位置（４０２）を選択する
ようにさらに構成された、請求項５に記載のシステム（１）。
【請求項８】
前記Ｗｉ−Ｆｉ拡張装置（４）の前記Ｗｉ−Ｆｉカバレッジ（１００）が、前記信号品質スコア（１１１）を含む、請求項７に記載のシステム（１）。
【請求項９】
前記電力線拡張装置（５）の前記カバレッジ（１２０）が、前記電力線競合ファクタ（２２２）を含む、請求項６に記載のシステム（１）。
【請求項１０】
少なくともアクセスポイント（３）、Ｗｉ−Ｆｉ拡張装置（４）および電力線拡張装置（５）を備えるホームネットワーク（２）内のＷｉ−Ｆｉカバレッジ（１００）を最適化するための方法であって、
前記ホームネットワーク（２）内の前記アクセスポイント（３）と前記Ｗｉ−Ｆｉ拡張装置（４）の現在の位置（４００）との間のＷｉ−Ｆｉ信号強度（１１０）を監視するステップと、
前記Ｗｉ−Ｆｉ信号強度（１１０）が、事前定義された信号強度閾値未満であるときに、前記現在の位置（４００）に置かれたおよび前記現在の位置（４００）とは異なる前記ホームネットワーク（２）内の候補位置（４０１）に置かれた前記Ｗｉ−Ｆｉ拡張装置（４）のＷｉ−Ｆｉカバレッジ（１００）を決定するステップと、
すべての候補位置（４０１）における前記Ｗｉ−Ｆｉカバレッジ（１００）が前記現在の位置（４００）における前記Ｗｉ−Ｆｉカバレッジ（１００）よりも低いときに、電力線の現在の位置（５００）に置かれたおよび前記電力の現在の位置（５００）とは異なる前記ホームネットワーク（２）内の電力線拡張装置候補位置（５０１）に置かれた前記電力線拡張装置（５）のカバレッジ（１２０）を決定するステップと、
前記カバレッジ（１２０）が前記電力線の現在の位置（５００）におけるカバレッジ（１２０）を超えたとき、前記電力線拡張装置（５）を前記電力線拡張装置候補位置（５０１）に再配置するステップと
を含む、方法。
【請求項１１】
コンピューティングシステムによって実行されると、請求項１０に記載の方法の各ステップをコンピューティングシステムに実行させる、コンピュータプログラム。
【請求項１２】
コンピュータプログラムが記録されたコンピュータ可読ストレージ媒体であって、コンピュータプログラムは、コンピューティングシステムによって実行されると、請求項１０に記載の方法の各ステップをコンピューティングシステムに実行させる、コンピュータ可読記憶媒体。
【国際調査報告】
2019520747.tif 000010
2019520747.tif 000011